(57)【要約】【課題】情報の効率的な再生を可能とするホログラフィック記録媒体を提供する。【解決手段】ホログラフィック記録媒体１０は、情報がホログラムとして記録された記録層（コア層）Ｌ１〜Ｌ１００が複数積層されてなる。ホログラフィック記録媒体１０は、記録層として、コンテンツ情報が記録された複数のコンテンツ記録層Ｌ２〜Ｌ１００と、複数のコンテンツ記録層Ｌ２〜Ｌ１００に記録されたコンテンツ情報を再生するためのコントロール情報が保存されているコントロール層Ｌ１とを有する【選択図】図２
2007094050.tif 000002
【特許請求の範囲】
【請求項１】
情報がホログラムとして記録された記録層が複数積層されてなるホログラフィック記録媒体であって、
コンテンツ情報が記録された複数のコンテンツ記録層と、
前記複数のコンテンツ記録層に記録されたコンテンツ情報を再生するためのコントロール情報が保存されているコントロール層と、
を有することを特徴とするホログラフィック記録媒体。
【請求項２】
請求項１に記載のホログラフィック記録媒体であって、
前記コントロール情報は、前記各コンテンツ記録層に読み出し光を入射させるための情報を含むことを特徴とするホログラフィック記録媒体。
【請求項３】
請求項１に記載のホログラフィック記録媒体であって、
前記コントロール情報は、前記コンテンツ記録層に入射させるべき光の条件を決定するための情報を含むことを特徴とするホログラフィック記録媒体。
【請求項４】
請求項１に記載のホログラフィック記録媒体であって、
前記コントロール情報は、前記コンテンツ記録層から前記コンテンツ情報として再生された再生像を検出するための情報を含むことを特徴とするホログラフィック記録媒体。
【請求項５】
請求項４に記載のホログラフィック記録媒体であって、
前記各コンテンツ記録層には、複数のコンテンツ情報が多重記録されており、
前記再生像を検出するための情報は、前記多重記録された複数のコンテンツ情報のうち所望のコンテンツ情報に対応する再生像を選択的に検出するための情報を含むことを特徴とするホログラフィック記録媒体。
【請求項６】
請求項４に記載のホログラフィック記録媒体であって、
前記再生像を検出するための情報は、前記再生像が結像する結像面の積層方向における位置を特定するための情報を含むことを特徴とするホログラフィック記録媒体。
【請求項７】
請求項１に記載のホログラフィック記録媒体であって、
前記コントロール情報は、前記コンテンツ記録層から再生され検出された再生像をコンテンツ情報に復元するための情報を含むことを特徴とするホログラフィック記録媒体。
【請求項８】
請求項１に記載のホログラフィック記録媒体であって、
前記コントロール層は、前記記録層の積層方向の端に設けられていることを特徴とするホログラフィック記録媒体。
【請求項９】
請求項１に記載のホログラフィック記録媒体であって、
前記コントロール層は、前記記録層の積層方向の両端に設けられていることを特徴とするホログラフィック記録媒体。
【請求項１０】
請求項１に記載のホログラフィック記録媒体であって、
前記コントロール層の厚さは、前記コンテンツ記録層の厚さよりも大きいことを特徴とするホログラフィック記録媒体。
【請求項１１】
情報がホログラムとして記録された記録層が複数積層されてなり、コンテンツ情報が記録された複数のコンテンツ記録層と、該複数のコンテンツ記録層に記録されたコンテンツ情報を再生するためのコントロール情報が保存されているコントロール層とを有するホログラフィック記録媒体が着脱可能に装着される装着部と、
前記装着部に装着されたホログラフィック記録媒体の記録層に読み出し光を照射する光照射部と、
前記光照射部による読み出し光の照射により前記記録層から再生された再生像を検出する光検出部と、
前記光照射部および前記光検出部を制御して前記記録層に記録されている情報を再生する制御部と、を備え、
前記制御部は、前記装着部に前記ホログラフィック記録媒体が装着されると、該ホログラフィック記録媒体のコントロール層に記録されたコントロール情報を再生し、再生されたコントロール情報を用いて該ホログラフィック記録媒体のコンテンツ記録層に記録されたコンテンツ情報を再生する、
ことを特徴とするホログラフィック再生装置。
【請求項１２】
請求項１１に記載のホログラフィック再生装置であって、
該ホログラフィック再生装置は、前記装着部に、積層方向の一端に前記コントロール層が設けられたホログラフィック記録媒体が、コントロール層側を所定側に向けて装着されるように構成され、
前記光検出部のうち少なくとも前記コントロール情報の再生像を検出する部分は、前記所定側に配置されていることを特徴とするホログラフィック再生装置。
【請求項１３】
請求項１１に記載のホログラフィック再生装置であって、
前記装着部は、前記ホログラフィック記録媒体のコントロール層側の面を機械的基準面に位置決めすることを特徴とするホログラフィック再生装置。
【請求項１４】
請求項１１に記載のホログラフィック再生装置であって、
該ホログラフィック再生装置は、前記装着部に、積層方向の一端または両端に前記コントロール層が設けられたホログラフィック記録媒体が、少なくとも一方のコントロール層側を所定側に向けて装着されるように構成され、
前記装着部は、前記ホログラフィック記録媒体のコントロール層側の面を、前記所定側に設定された機械的基準面に位置決めし、
前記光検出部のうち少なくとも前記コントロール情報の再生像を検出する部分は、前記所定側に配置されていることを特徴とするホログラフィック再生装置。
【発明の詳細な説明】
【技術分野】
【０００１】
本発明は、情報がホログラムとして記録された記録層が複数積層されてなるホログラフィック記録媒体、およびホログラフィック記録媒体を再生するホログラフィック再生装置に関する。
【背景技術】
【０００２】
小型で大容量のメモリとして、ホログラフィックメモリカードが提案されている。特許文献１、２に記載されているように、ホログラフィックメモリカードは、平面型光導波路に情報がホログラムとして埋め込まれ、この光導波路が多層に積層されて構成されたものである。ホログラフィックメモリカードからの情報の再生は、所望の光導波路に読み出し光を入射させ、これにより生じた再生像（ホログラム画像）をイメージセンサで撮像し、撮像された再生像を元のデジタル情報に復号化することにより行われる。
【０００３】
【特許文献１】特開２００１−５２１２８号公報
【特許文献２】特開２００３−５１１２２号公報
【発明の開示】
【発明が解決しようとする課題】
【０００４】
本発明は、情報の効率的な再生を可能とするホログラフィック記録媒体およびホログラフィック再生装置を提供する。
【課題を解決するための手段】
【０００５】
本発明に係るホログラフィック記録媒体は、情報がホログラムとして記録された記録層が複数積層されてなるホログラフィック記録媒体であって、コンテンツ情報が記録された複数のコンテンツ記録層と、前記複数のコンテンツ記録層に記録されたコンテンツ情報を再生するためのコントロール情報が保存されているコントロール層と、を有することを特徴とする。
【０００６】
好ましくは、前記コントロール情報は、前記各コンテンツ記録層に読み出し光を入射させるための情報を含む。
【０００７】
また、好ましくは、前記コントロール情報は、前記コンテンツ記録層に入射させるべき光の条件を決定するための情報を含む。
【０００８】
また、好ましくは、前記コントロール情報は、前記コンテンツ記録層から前記コンテンツ情報として再生された再生像を検出するための情報を含む。この場合における一実施態様では、前記各コンテンツ記録層には、複数のコンテンツ情報が多重記録されており、前記再生像を検出するための情報は、前記多重記録された複数のコンテンツ情報のうち所望のコンテンツ情報に対応する再生像を選択的に検出するための情報を含む。また、前記再生像を検出するための情報は、前記再生像が結像する結像面の積層方向における位置を特定するための情報を含む。
【０００９】
また、好ましくは、前記コントロール情報は、前記コンテンツ記録層から再生され検出された再生像をコンテンツ情報に復元するための情報を含む。
【００１０】
本発明の好適な態様では、前記コントロール層は、前記記録層の積層方向の端に設けられている。
【００１１】
また、本発明の好適な態様では、前記コントロール層は、前記記録層の積層方向の両端に設けられている。
【００１２】
また、本発明の好適な態様では、前記コントロール層の厚さは、前記コンテンツ記録層の厚さよりも大きい。
【００１３】
本発明に係るホログラフィック再生装置は、情報がホログラムとして記録された記録層が複数積層されてなり、コンテンツ情報が記録された複数のコンテンツ記録層と、該複数のコンテンツ記録層に記録されたコンテンツ情報を再生するためのコントロール情報が保存されているコントロール層とを有するホログラフィック記録媒体が着脱可能に装着される装着部と、前記装着部に装着されたホログラフィック記録媒体の記録層に読み出し光を照射する光照射部と、前記光照射部による読み出し光の照射により前記記録層から再生された再生像を検出する光検出部と、前記光照射部および前記光検出部を制御して前記記録層に記録されている情報を再生する制御部と、を備え、前記制御部は、前記装着部に前記ホログラフィック記録媒体が装着されると、該ホログラフィック記録媒体のコントロール層に記録されたコントロール情報を再生し、再生されたコントロール情報を用いて該ホログラフィック記録媒体のコンテンツ記録層に記録されたコンテンツ情報を再生することを特徴とする。
【００１４】
本発明の好適な態様では、該ホログラフィック再生装置は、前記装着部に、積層方向の一端に前記コントロール層が設けられたホログラフィック記録媒体が、コントロール層側を所定側に向けて装着されるように構成され、前記光検出部のうち少なくとも前記コントロール情報の再生像を検出する部分は、前記所定側に配置されている。
【００１５】
また、本発明の好適な態様では、前記装着部は、前記ホログラフィック記録媒体のコントロール層側の面を機械的基準面に位置決めする。
【００１６】
また、本発明の好適な態様では、該ホログラフィック再生装置は、前記装着部に、積層方向の一端または両端に前記コントロール層が設けられたホログラフィック記録媒体が、少なくとも一方のコントロール層側を所定側に向けて装着されるように構成され、前記装着部は、前記ホログラフィック記録媒体のコントロール層側の面を、前記所定側に設定された機械的基準面に位置決めし、前記光検出部のうち少なくとも前記コントロール情報の再生像を検出する部分は、前記所定側に配置されている。
【発明の効果】
【００１７】
本発明によれば、情報の効率的な再生を可能とするホログラフィック記録媒体およびホログラフィック再生装置を提供することができる。
【発明を実施するための最良の形態】
【００１８】
以下、本発明の実施の形態を図面に従って説明する。
【００１９】
［ホログラフィック記録媒体］
図１は、本実施の形態に係るホログラフィック記録媒体１０の外観斜視図である。このホログラフィック記録媒体１０は、情報がホログラムとして記録された記録層が複数積層されてなる記録媒体であり、薄膜ホログラムメモリとも呼ばれる。本実施の形態では、ホログラフィック記録媒体１０は、透明プラスチック樹脂からなる略直方体形状の薄板状のホログラフィックメモリカードである。以下の説明においては、「ホログラフィック記録媒体１０」を適宜「メモリカード１０」と称する。メモリカード１０のサイズは、特に限定されないが、例えば３２×２４×２．１ｍｍである。
【００２０】
図２は、図１のＡ−Ａ断面図、すなわちメモリカード１０の層構成を示す断面図である。図２において、メモリカード１０は、計１００層のコア層（記録層）Ｌ１〜Ｌ１００を有している。各コア層は、それよりも低い屈折率を有するクラッド層Ｃｄに挟まれている。これにより、平面型光導波路が多層に積層された積層導波路構造が構成され、コア層に入射した光は該コア層内に閉じ込められて面内方向に伝搬することとなる。コア層Ｌ１〜Ｌ１００には、情報が薄膜ホログラム（凸凹パターン等の散乱要因）として記録されている。本実施の形態では、各コア層には、いわゆる開口多重技術により複数の情報が多重記録されている。ここで、開口多重技術とは、一つの記録層に複数の画像を多重記録するもので、記録媒体と撮像素子との間に光マスクを置き、この光マスクの開口パターンを変えることにより、画像を１枚ずつ分離再生するものである。
【００２１】
コア層Ｌ１〜Ｌ１００は、本実施の形態では、製造上の都合により複数のブロックに分けて積層されている。具体的には、メモリカード１０は、それぞれ２０層のコア層Ｌ１〜Ｌ２０，Ｌ２１〜Ｌ４０，Ｌ４１〜Ｌ６０，Ｌ６１〜Ｌ８０，Ｌ８１〜Ｌ１００を含むブロックＢ１〜Ｂ５が積層されてなる。各ブロックは、基板１１、クラッド層とコア層とが交互に積層された光導波路積層体、および基板１２が順に積層された積層構造を有する。ただし、コア層Ｌ１〜Ｌ１００は、クラッド層Ｃｄ、コア層Ｌ１、クラッド層Ｃｄ、コア層Ｌ２、・・・、コア層Ｌ１００、クラッド層Ｃｄといったように連続的に積層されてもよい。
【００２２】
コア層Ｌ１〜Ｌ１００のうち、コア層Ｌ２〜Ｌ１００は、コンテンツ情報が記録されたコンテンツ記録層であり、積層方向の端のコア層Ｌ１は、コントロール情報が保存されているコントロール層である。ここで、コンテンツ情報とは、静止画データ、動画データ、音声データ、テキストデータなどの各種のデジタル情報であり、メモリカード１０から再生されるべき情報である。コントロール情報とは、複数のコンテンツ記録層に記録されたコンテンツ情報を再生するために用いられるデジタル情報である。このコントロール情報の具体的な内容については後に詳しく説明する。なお、コントロール層を積層方向の端に配置するのは、コントロール層に対するアクセスの容易化あるいは迅速化を図るためである。
【００２３】
コントロール層Ｌ１は、アクセスの容易化や迅速化を図る観点より、光が入射し易いように構成されることが好ましく、コンテンツ記録層Ｌ２〜Ｌ１００よりも厚く形成されることが好ましい。具体的には、コントロール層の厚さは、コンテンツ記録層の厚さの１．５〜２倍程度であることが好ましい。ただし、コントロール層もシングルモード導波路であることが必要であり、コントロール層の屈折率は、コンテンツ記録層の屈折率より低い材料を選択する必要がある。
【００２４】
［ホログラフィック再生装置の構成］
図３および図４は、それぞれ本実施の形態に係るホログラフィック再生装置２０の構成を示す模式的な側面図および模式的な上面図である。このホログラフィック再生装置（以下、「再生装置」と略称する）２０は、本実施の形態に係るメモリカード１０に記録された情報を再生する装置である。以下、図３、４に従って再生装置２０の構成について説明する。なお、以下の説明では、図３の矢印で示されるとおり、図３における上、下をそれぞれ「上」、「下」と言う。図４では、実際には上側からは見えない部分についても実線で表されている。
【００２５】
再生装置２０は、メモリカード１０が着脱可能に装着される装着部２１を備えている。この装着部２１は、メモリカード１０を挿入するためのスロットを有し挿入されたメモリカード１０を収容するケーシングと、該ケーシングに収容されたメモリカード１０を位置決めする位置決め機構とを含む。
【００２６】
再生装置２０は、装着部２１にメモリカード１０がコントロール層Ｌ１側の面（以下、上面と称す）１３を上側に向けて装着されるように構成されている。例えば、再生装置２０は、上面１３を下側に向けての装着を機械的に禁止するように、あるいは上面１３を下側に向けてメモリカード１０が装着された場合には正常に動作しないように構成されている。
【００２７】
装着部２１の位置決め機構は、図３に示されるとおり、ケーシングの上側に突き当て部材２１ａを有し、ケーシングの下側にバネ等の付勢部材２１ｂを有している。そして、位置決め機構は、ケーシングに挿入されたメモリカード１０を付勢部材２１ｂにより上方に付勢し、突き当て部材２１ａにより画定される機械的基準面２１ｃにメモリカード１０の上面１３を位置決めする。また、位置決め機構は、図４に示されるとおり、上下方向（積層方向）に垂直な面内方向においても、突き当て部材２１ｄおよび付勢部材２１ｅによりメモリカード１０を所定位置に位置決めする。
【００２８】
装着部２１の側方には、装着部２１に装着されたメモリカード１０のコア層に読み出し光を照射する光照射部２２が配置されている。この光照射部２２は、読み出し光（レーザ光）１００をメモリカード１０に対し横方向から入射させる光源２２ａと、この光源２２ａを支持するとともに上下方向に移動させる光源移動機構２２ｂとを含む。光源２２ａによりコア層に入射されたレーザ光１００は、コア層中を面内方向に導波光として伝搬することとなる。この導波光はコア層に形成された散乱要因（ホログラム）によって散乱され、回折光１０１としてメモリカード１０の表面から出射し、この回折光１０１によって再生像（ホログラム像）が形成されることとなる。
【００２９】
装着部２１のケーシングの上側には、すなわち機械的基準面２１ｃと同じ側には、読み出し光１００の照射によりコア層から再生された再生像を検出する光検出部２３が配置されている。この光検出部２３は、再生像の結像面に設置された再生像を読み取るＣＣＤ等の撮像素子（イメージセンサ）２３ａと、この撮像素子２３ａを支持するとともに上下方向に移動させる撮像素子移動機構２３ｂ（図４では不図示）とを含む。さらに、本実施の形態では開口多重技術を採用するので、光検出部２３は、メモリカード１０と撮像素子２３ａとの間に設けられた、開口パターンが可変である液晶シャッタ等の光マスク２３ｃを含む。この光マスク２３ｃがある開口パターンで開口すると、その開口パターンに応じて回折光１０１が選択的に通され、選択的に通過した回折光１０２によって開口パターンに応じた再生像が形成されることとなる。メモリカード１０の１つのコア層には開口パターン毎の情報が多重記録されており、再生時には、光マスク２３ｃが所望の開口パターンに制御されることで所望の情報が再生される。例えば、図５に示されるように、光マスク２３ｃの領域Ａ１が開口した場合には再生像Ｉｍ１が形成され、領域Ａ２が開口した場合には再生像Ｉｍ２が形成される。
【００３０】
さらに、再生装置２０は、当該装置全体を制御する制御部２４（図４では不図示）を備えている。この制御部２４は、光照射部２２および光検出部２３を制御してメモリカード１０のコア層に記録されている情報を再生する。具体的には、制御部２４は、装着部２１にメモリカード１０が装着されると、該メモリカード１０のコントロール層に記録されたコントロール情報を再生し、再生されたコントロール情報を用いて該メモリカード１０のコンテンツ記録層に記録されたコンテンツ情報を再生する。
【００３１】
［コントロール情報の内容］
ここで、コントロール情報の具体的な内容について説明する。コントロール情報としては、下記（ａ）〜（ｅ）の情報が挙げられる。
【００３２】
（ａ）論理アドレスをメモリカード１０の物理アドレスに変換するための情報（以下、アドレス変換情報と称す）
本実施の形態では、物理アドレスは、層アドレスと開口アドレスとの組み合わせにより表される。層アドレスは、各コンテンツ記録層を一意に識別するためのアドレス情報である。開口アドレスは、各開口パターン（または各開口）を一意に識別するためのアドレス情報である。アドレス変換情報としては、コンテンツ記録層の総数、およびコンテンツ記録層一層当たりの多重数が挙げられる。
【００３３】
（ｂ）各コンテンツ記録層に読み出し光を入射させるための情報
当該情報は、各コンテンツ記録層にアクセスするための情報とも言うことができ、典型的には各コンテンツ記録層の積層方向における位置を特定するための情報（以下、層位置情報と称す）である。層位置情報としては、各コンテンツ記録層の位置を計算するためのパラメータや、各コンテンツ記録層の上面１３からの距離のリストが挙げられる。位置を計算するためのパラメータとしては、例えば、コンテンツ記録層の層数、各層（コンテンツ記録層、コントロール層、クラッド層、基板等）の厚さ、コンテンツ記録層の間隔、ブロック数、各ブロックの厚さなどが挙げられる。
【００３４】
（ｃ）コンテンツ記録層に入射させるべき光の条件を決定するための情報（以下、光条件情報と称す）
この光条件情報としては、例えば、光パワーや波長などが挙げられる。
【００３５】
（ｄ）コンテンツ記録層からコンテンツ情報として再生された再生像を検出するための情報
当該情報としては、積層方向に垂直な面内における再生像が形成される領域を特定するための情報、再生像が結像する結像面の積層方向における位置（例えば記録媒体表面からの距離）を特定するための情報（以下、結像面位置情報と称す）、多重記録された複数のコンテンツ情報のうち所望のコンテンツ情報に対応する再生像を選択的に検出するための情報などがある。再生像を選択的に検出するための情報としては、各開口パターンの開口の物理的領域を特定するための情報（以下、開口領域情報と称す）、および各開口パターンに対応する撮像領域を特定するための情報（以下、撮像領域情報と称す）などが挙げられる。
【００３６】
（ｅ）コンテンツ記録層から再生され検出された再生像をコンテンツ情報に復元するための情報（以下、復元用情報と称す）
この復元用情報としては、二次元復号化の復号方式などが挙げられる。
【００３７】
［ホログラフィック再生装置の動作］
以下、本実施の形態に係る再生装置２０の動作について、初期動作時と、コンテンツ情報再生時とに分けて説明する。
【００３８】
図６は、初期動作時における制御部２４の動作手順を示すフローチャートである。以下、図６に従って、初期動作時における再生装置２０の動作について説明する。
【００３９】
制御部２４は、不図示のセンサの出力に基づき、装着部２１へのメモリカード１０の装着を検知するまで待機し（Ｓ１１：ＮＯ）、メモリカード１０の装着を検知すると（Ｓ１１：ＹＥＳ）、装着されたメモリカード１０のコントロール層Ｌ１に記録されたコントロール情報を再生する（Ｓ１２〜Ｓ１７）。
【００４０】
コントロール情報の再生は次のように行われる。制御部２４は、メモリカード１０の装着を検知すると、光源移動機構２２ｂを制御して、光源２２ａを初期位置に移動させる（Ｓ１２）。この初期位置は、光源２２ａの読み出し光１００の照射位置がコントロール層Ｌ１の厚さ方向中心と一致するように、予め規格等により決められた位置である。なお、メモリカード１０において、上面１３からコントロール層Ｌ１の厚さ方向中心までの距離は、規格等により予め決められているものとする。また、制御部２４は、光マスク２３ｃを所定の開口パターンで開口させる（Ｓ１３）。また、制御部２４は、撮像素子移動機構２３ｂを制御して、撮像素子２３ａを初期位置に移動させる（Ｓ１４）。この初期位置は、撮像素子２３ａの撮像面がコントロール情報の再生像の結像面と一致するように、予め規格等により決められた位置である。
【００４１】
ついで、制御部２４は、光源２２ａによる読み出し光１００の照射を行う（Ｓ１５）。これにより、読み出し光１００が光源２２ａからコントロール層Ｌ１に入射し、コントロール層Ｌ１に記録されたコントロール情報に対応する再生像が形成される。制御部２４は、この再生像を撮像素子２３ａによって画像データとして読み取り（Ｓ１６）、読み取られた画像データを予め決められた復号化方式により復号化し、コントロール情報を復元する（Ｓ１７）。
【００４２】
図７は、コンテンツ情報再生時における制御部２４の動作手順を示すフローチャートである。以下、図７に従って、コンテンツ情報再生時における再生装置２０の動作について説明する。なお、図７に示される処理は、上記初期動作が完了した後に実行される。
【００４３】
制御部２４は、不図示の上位装置（ホスト）から論理アドレスの指定を伴う読み出し要求を受けるまで待機し（Ｓ２１：ＮＯ）、読み出し要求を受けると（Ｓ２１：ＹＥＳ）、指定された論理アドレスに記録されたコンテンツ情報を再生してホストに渡す（Ｓ２２〜Ｓ３２）。
【００４４】
コンテンツ情報の再生は次のように行われる。制御部２４は、ホストから論理アドレスの指定を伴う読み出し要求を受けると、コントロール情報に含まれるアドレス変換情報を用いて、論理アドレスを物理アドレス（層アドレスおよび開口アドレス）に変換する（Ｓ２２）。すなわち、アクセスすべき層および開口を特定する。
【００４５】
ついで、制御部２４は、コントロール情報に含まれる層位置情報を用いて、上記層アドレスにより識別されるコンテンツ記録層の積層方向における物理的位置を特定する（Ｓ２３）。このコンテンツ記録層の積層方向における物理的位置は、例えば、上面１３すなわち機械的基準面２１ｃからコンテンツ記録層までの上下方向の距離で表される。そして、制御部２４は、光源移動機構２２ｂを制御して、読み出し光１００の照射位置が上記特定された物理的位置と一致するように、光源２２ａを上下方向に移動させる（Ｓ２４）。
【００４６】
また、制御部２４は、コントロール情報に含まれる開口領域情報を用いて、上記開口アドレスにより識別される開口パターンの開口の物理的領域を特定する（Ｓ２５）。そして、制御部２４は、光マスク２３ｃを制御して、上記特定された物理的領域を開口させる（Ｓ２６）。
【００４７】
また、制御部２４は、撮像素子移動機構２３ｂを制御して、撮像素子２３ａの撮像面の位置がコントロール情報に含まれる結像面位置情報で特定される結像面の位置と一致するように、撮像素子２３ａを上下方向に移動させる（Ｓ２７）。
【００４８】
ついで、制御部２４は、コントロール情報に含まれる光条件情報で決定される光の条件で、光源２２ａによる読み出し光１００の照射を行う（Ｓ２８）。これにより、上記層アドレスで識別されるコンテンツ記録層に適切な読み出し光１００が入射し、メモリカード１０の上面１３から回折光１０１が出射される。光マスク２３ｃは、上記開口アドレスに対応する開口により、当該回折光１０１を選択的に撮像素子２３ａ側に通過させる。光マスク２３ｃを通過した回折光１０２は、結像面で結像して再生像を形成する。
【００４９】
ついで、制御部２４は、コントロール情報に含まれる撮像領域情報を用いて、上記開口アドレスに対応する撮像領域を特定する（Ｓ２９）。そして、制御部２４は、特定された撮像領域の画像を撮像素子２３ａにより画像データとして読み取る（Ｓ３０）。これにより、制御部２４は、上記コンテンツ記録層から再生された再生像の画像データを得る。
【００５０】
ついで、制御部２４は、コントロール情報に含まれる復元用情報に基づき、上記読み取られた画像データを復号化し、デジタルのコンテンツ情報を得る（Ｓ３１）。そして、制御部２４は、得られたコンテンツ情報をホストに渡す（Ｓ３２）。
【００５１】
［ホログラフィック再生装置の動作の具体例］
以下、具体的な数値を挙げて、コンテンツ情報再生時における再生装置２０の動作の具体例を示す。
【００５２】
まず、本具体例における光マスク２３ｃについて説明する。図８は、本具体例における光マスク２３ｃの構成を示す模式的な上面図である。図８において、光マスク２３ｃは、２０×３０のマトリクス状に配置された６００個の開口を有する。この６００個の開口は、図中縦方向（Ｘ方向）に２０個、図中横方向（Ｙ方向）に３０個並べられている。各開口には、図８に示されるように、各々を一意に識別するための仮想アドレス（１〜６００番）が割り当てられている。光マスク２３ｃの各開口の物理的領域および仮想アドレスは、予め規格等で決められている。このような構成により、本具体例では、一つの層に最大で６００個の情報を多重記録することができる。なお、各開口の大きさは、例えば０．６〜１．０ｍｍ四方である。
【００５３】
次に、本具体例で用いられるメモリカード１０について説明する。本具体例のメモリカード１０は、図２に示される層構成を有する。そして、各層の厚さは、基板が１００μｍ、コンテンツ記録層が２μｍ、コントロール層が４μｍ、コントロール層を挟むクラッド層が７μｍ、それ以外のクラッド層が８μｍである。また、本具体例のメモリカード１０は、６００個の開口のうち、図８における太線枠内の４×５のマトリクス状の２０個の開口を使用して、一層当り２０個の情報が多重記録されたものである。具体的には、本具体例のメモリカード１０については、仮想アドレス２１０〜２１３，２３０〜２３３，２５０〜２５３，２７０〜２７３，２９０〜２９３の開口が使用される。
【００５４】
メモリカード１０のコントロール層には、コントロール情報として、コンテンツ記録層の層数、各層の厚さ、コンテンツ記録層の間隔（＝１０μｍ）、ブロック数（＝５個）、ブロックの厚さ（＝４０８μｍ）、使用開始仮想アドレス（＝２１０番）、Ｘ方向開口使用数（＝４個）、およびＹ方向開口使用数（＝５個）が保存されている。
【００５５】
本具体例では、層アドレスの割り当て方として、「各コンテンツ記録層に対し、上面１３から下方に向かって、層アドレスを１番から順に割り当てる」という規則が予め決められているものとする。また、開口アドレスの割り当て方として、「使用される各開口に対し、仮想アドレスが若い開口から古い開口に向かって、開口アドレスを１番から順に割り当てる」という規則が予め決められているものとする。
【００５６】
本具体例における再生装置２０の動作は次のとおりである。制御部２４は、ホストから論理アドレス（ここでは１００５番とする）の指定を伴う読み出し要求を受けると、この論理アドレスを層アドレスおよび開口アドレスに変換する。すなわち、制御部２４は、コントロール情報に含まれるＸ方向開口使用数とＹ方向開口使用数とを乗じて一層当たりの多重数を算出し、論理アドレスを多重数で割ったときの商と余りを求め、求められた商に１を加えて層アドレス番号とし、求められた余りを開口アドレス番号とする。ここでは、Ｘ方向開口使用数は４個でありＹ方向開口使用数は５個であるので、多重数は４×５＝２０と算出される。論理アドレス１００５番を多重数２０で割ると、商は５０、余りは５と求められる。よって、層アドレス５１番、開口アドレス５番が求められる。
【００５７】
ついで、制御部２４は、コントロール情報に含まれる各層の厚さ等の情報に基づき、層アドレスが５１番であるコンテンツ記録層Ｌ５２の機械的基準面２１ｃからの距離Ｚを算出する。コンテンツ記録層Ｌ５２は３ブロック目の１２層目であるので、制御部２４は、下記式（１）から距離Ｚを１０３５μｍと算出する。そして、制御部２４は、読み出し光１００の照射位置が機械的基準面２１ｃから１０３５μｍ下方の位置となるように、光源２２ａを移動させる。
【数１】
2007094050.tif 000003
【００５８】
また、制御部２４は、コントロール情報に含まれる、使用開始仮想アドレス、Ｘ方向開口使用数、およびＹ方向開口使用数に基づき、開口アドレスを仮想アドレスに変換する。ここでは、使用開始仮想アドレスは２１０番、Ｘ方向開口使用数は４個、Ｙ方向開口使用数は５個であるので、図８を見れば分かるように、開口アドレス５番が仮想アドレス２３０番に変換される。そして、制御部２４は、光マスク２３ｃの６００個の開口のうち、仮想アドレスが２３０番である１個の開口を開ける。
【００５９】
この状態において、制御部２４は、光源２２ａに読み出し光１００の照射を実行させ、これにより形成される再生像を撮像素子２３ａにより画像データとして読み取り、読み取った画像データを復号してデジタルのコンテンツ情報を得る。そして、制御部２４は、得られたコンテンツ情報を、論理アドレス１００５番から読み出された情報としてホストに渡す。
【００６０】
以上説明した本実施の形態によれば、以下の効果が得られる。
【００６１】
（１）本実施の形態に係るホログラフィック記録媒体では、コンテンツ情報が記録された複数のコンテンツ記録層の他に、該複数のコンテンツ記録層に記録されたコンテンツ情報を再生するためのコントロール情報が保存されているコントロール層が設けられる。このため、本実施の形態に係る記録媒体によれば、コントロール層へのアクセスにより複数のコンテンツ記録層に記録されたコンテンツ情報を再生するためのコントロール情報を取得することが可能となり、情報の効率的な再生が可能となる。具体的には、コントロール層へのアクセスにより記録媒体全体の仕様や再生条件を認識することが可能となり、情報の効率的な再生が可能となる。また、コントロール層に記録媒体の仕様や再生条件を保存させておくことができるので、記録媒体の仕様の自由度を大きくすることができる。逆に、多様な記録媒体が存在していても、再生装置側ではコントロール層にアクセスすることで各記録媒体を適切に再生することができる。これにより、記録媒体メーカは、ある程度自由に記録媒体の仕様を決めることができる。
【００６２】
（２）コントロール情報は、各コンテンツ記録層に読み出し光を入射させるための情報を含む。このため、所望のコンテンツ記録層に対して迅速かつ適切にアクセスすることが可能となる。
【００６３】
（３）コントロール情報は、コンテンツ記録層に入射させるべき光の条件を決定するための情報を含む。このため、コンテンツ記録層に入射させるべき光の条件を迅速かつ適切に決定することが可能となる。
【００６４】
（４）コントロール情報は、コンテンツ記録層からコンテンツ情報として再生された再生像を検出するための情報を含む。このため、迅速かつ適切に再生像を検出することが可能となる。
【００６５】
（５）コントロール情報は、コンテンツ記録層から再生され検出された再生像をコンテンツ情報に復元するための情報を含む。このため、検出された再生像を適切にコンテンツ情報に復元することが可能となる。
【００６６】
（６）コントロール層は、記録層の積層方向の端に設けられている。このため、容易または迅速にコントロール層にアクセスすることが可能となる。具体的には、コントロール層を複数層の途中に配置する構成では、各層の厚さの製造バラツキによりコントロール層の位置のバラツキが大きくなってしまい、コントロール層へのアクセスが困難となる。これに対し、コントロール層を端に配置する構成では、上記各層の厚さの製造バラツキによるコントロール層の位置のバラツキが小さく、コントロール層へのアクセスが容易となる。また、通常、再生装置における記録媒体の位置決めは記録媒体の端面が基準とされるので、コントロール層を端に配置する構成では、再生装置に対するコントロール層の相対位置のバラツキが小さくなり、コントロール層へのアクセスが容易となる。
【００６７】
（７）コントロール層は記録層の積層方向の両端に設けられてもよく、この構成によれば次の効果が得られる。すなわち、再生装置において、積層方向についてどちら向きに記録媒体が装着されても、両端のうちいずれかの端のコントロール層に容易または迅速にアクセスすることができる。特に、記録媒体表面からコントロール層までの積層方向の距離を両側で互いに同一とすれば、どちら向きに記録媒体が装着されても、同様にコントロール層にアクセスすることができる。
【００６８】
（８）コントロール層は、コンテンツ記録層よりも厚く形成される。このため、コンテンツ記録層については出来るだけ薄くして記録密度を高めたいという要求と、初期動作時に再生条件（特に読み出し光の照射位置）を細かく調整することなく迅速にコントロール情報を読み出したいという要求とを両立させることができる。
【００６９】
（９）本実施の形態に係るホログラフィック再生装置（以下、再生装置と略す）では、記録媒体が装着されると、該記録媒体のコントロール層に記録されたコントロール情報を再生し、再生されたコントロール情報を用いて該記録媒体のコンテンツ記録層に記録されたコンテンツ情報を再生する。このため、本実施の形態に係るホログラフィック再生装置によれば、コントロール情報を再生し、記録媒体全体の仕様や再生条件を認識した上でコンテンツ記録層に対するアクセスを行うので、コンテンツ情報を効率的に再生することができる。また、多様な記録媒体が存在していても、コントロール情報により記録媒体全体の仕様や再生条件を認識した上でコンテンツ記録層に対するアクセスを行うことができ、各記録媒体から情報を適切に再生することができる。
【００７０】
（１０）再生装置は、積層方向の一端にコントロール層が設けられた記録媒体が、コントロール層側を所定側（図３の例では上側）に向けて装着されるように構成され、光検出部のうち少なくともコントロール情報の再生像を検出する部分は、上記所定側に配置されている。このため、コントロール層に近い側にコントロール情報の再生像を検出する部分が配置されることとなり、コントロール情報の再生像の検出のし易さが向上する。
【００７１】
（１１）ホログラフィック記録媒体のコントロール層側の面（図３の例では上面１３）を再生装置内の機械的基準面に位置決めするので、再生装置に対するコントロール層の相対位置のバラツキを小さくすることができ、コントロール層と光源や撮像素子との位置関係のバラツキを小さくすることができる。これにより、光源や撮像素子の位置を細かく調整することなく迅速にコントロール情報を再生することができる。
【００７２】
（１２）再生装置は、積層方向の一端にコントロール層が設けられた記録媒体が、コントロール層側を所定側に向けて装着されるように構成され、装着部は、記録媒体のコントロール層側の面を、上記所定側に設定された機械的基準面に位置決めし、光検出部のうち少なくともコントロール情報の再生像を検出する部分は、上記所定側に配置されている。この構成によれば、上記（１０）、（１１）と同様の効果が得られる。また、コントロール情報の再生像を検出する部分と機械的基準面とを同じ側に設けるので、両者の位置関係のバラツキも抑えることができる。なお、記録媒体が積層方向の両端にコントロール層を持つ構成においても、当該（１２）の効果が得られる。
【００７３】
なお、本発明は、上記実施の形態に限定されるものではなく、本発明の要旨を逸脱しない範囲内で種々変更することができる。例えば、上記実施の形態では一層のコンテンツ記録層に複数の情報を多重記録することとしたが、必ずしも多重記録する必要はない。また、上記実施の形態では積層方向の端にコントロール層を設けることとしたが、複数層の途中にコントロール層を設けることも可能である。また、上記実施の形態ではコントロール層をコンテンツ記録層よりも厚く構成したが、コンテンツ記録層と同じ厚さとすることも可能である。また、上記実施の形態で例示された光検出部は、図９に示される構成に代替可能である。図９に示される光検出部は、比較的小さな撮像素子２８ａと比較的小さな光マスク２８ｃとが結合されてなる光検出ユニット２８を含む。光マスク２８ｃは、位置が固定された開口を備えている。光検出ユニット２８は、上下方向に垂直な平面内で移動可能なように構成されている。この構成では、光検出ユニット２８を平面内で移動させることにより、開口の位置を変えることができ、所望の開口に対応する再生像を読み取ることができる。
【図面の簡単な説明】
【００７４】
【図１】実施の形態に係るホログラフィック記録媒体（メモリカード）の外観斜視図である。
【図２】メモリカードの層構成を示す断面図である。
【図３】実施の形態に係るホログラフィック再生装置の構成を示す模式的な側面図である。
【図４】実施の形態に係るホログラフィック再生装置の構成を示す模式的な上面図である。
【図５】開口多重技術を説明するための模式的な側面図である。
【図６】初期動作時における制御部の動作手順を示すフローチャートである。
【図７】コンテンツ情報再生時における制御部の動作手順を示すフローチャートである。
【図８】光マスクの構成の一例を示す模式的な上面図である。
【図９】光検出部の変形例を示す模式的な側面図である。
【符号の説明】
【００７５】
１０  ホログラフィック記録媒体（メモリカード）、Ｌ１  コントロール層（コア層）、Ｌ２〜Ｌ１００  コンテンツ記録層（コア層）、Ｃｄ  クラッド層、Ｂ１〜Ｂ５  ブロック、１１，１２  基板、１３  コントロール層側の面（上面）、２０  ホログラフィック再生装置、２１  装着部、２１ａ，２１ｄ  突き当て部材、２１ｂ，２１ｅ  付勢部材、２１ｃ  機械的基準面、２２  光照射部、２２ａ  光源、２２ｂ  光源移動機構、２３  光検出部、２３ａ  撮像素子、２３ｂ  撮像素子移動機構、２３ｃ  光マスク、２４  制御部、１００  読み出し光。
【図１】
2007094050.tif 000004
【図４】
2007094050.tif 000005
【図５】
2007094050.tif 000006
【図６】
2007094050.tif 000007
【図７】
2007094050.tif 000008
【図８】
2007094050.tif 000009
【図９】
2007094050.tif 000010
【図２】
2007094050.tif 000011
【図３】
2007094050.tif 000012